(57)【要約】      （修正有）【課題】どの方向からでも視認可能でしかも現在所持している自転車に後付け可能な方向指示器としての自転車用方向指示用シグナルライト及びそれを用いた自転車を提供する。【解決手段】自転車用方向指示用シグナルライトはどの方向からでも自転車の右折左折の進行方向を他者に伝えることが可能な視認性のよい自転車用方向指示用シグナルライトである。自転車のハンドルバー１０の少なくとも左右いずれかに方向指示スイッチ１，２を設けそれと連動する方向指示用シグナルライトが自転車のフロントハブ８、リアハブ９の少なくともいずれかに設けた自転車用方向指示用シグナルライト３，４により解決した。【選択図】図１
0003190583.tif 000002
【実用新案登録請求の範囲】
【請求項１】
自転車（１１）の右折左折の方向指示を行うための方向指示用シグナルライト（Ｌ）であって、自転車（１１）のハンドルバー（１０）の少なくとも左右いずれかに方向指示スイッチ（Ｂ）を設け、それと連動する方向指示用シグナルライト（Ｌ）が自転車（１１）のフロントハブ（８）、リアハブ（９）の少なくともいずれかに設けられていることを特徴とする自転車用方向指示用シグナルライト。
【請求項２】
前記方向指示スイッチ（Ｂ）が右折用方向指示押しボタンスイッチ（１）と左折用方向指示押しボタンスイッチ（２）であって、前記右折用方向指示押しボタンスイッチ（１）が右ハンドル（１０ａ）に設けられ、前記左折用方向指示押しボタンスイッチ（２）が左ハンドル（１０ｂ）に設けられていることを特徴とする請求項１に記載の自転車用方向指示用シグナルライト。
【請求項３】
前記方向指示スイッチ（Ｂ）が方向指示切り替えスイッチ（Ｒ）であって、前記右ハンドル（１０ａ）または左ハンドル（１０ｂ）の少なくとも左右いずれかに、方向指示切り替えスイッチ（Ｒ）が設けられていることを特徴とする請求項１に記載の自転車用方向指示用シグナルライト。
【請求項４】
前記請求項１〜３のいずれか１項に記載の方向指示用シグナルライト（Ｌ）を前後輪のハブ（８、９）の少なくともいずれか一方に設けたことを特徴とする自転車。
【考案の詳細な説明】
【技術分野】
【０００１】
本考案は、自転車に簡単に取り付け及び取り外しができる自転車用方向指示用シグナルライトである。
【背景技術】
【０００２】
本考案は、他者から自転車の進行方向を見極められないために起きる事故の件数が極めて多いという問題を未然に防ぎ、安全性を向上することが可能となる。
【０００３】
２０１１年３月１１日の東日本大震災以降、主婦層以外にも通勤、通学用の自転車も増加し、街には自転車が溢れている昨今である。それに伴い、自転車への法整備はかなり厳しい罰則ができるなど事故防止の対策が強化されている。このような現状の中、自動車やオートバイにある方向指示器は自転車にはないため、事故が多発している。解決すべき問題は、自転車には方向指示器としてのシグナルライトがないため、他者に進行方向が伝えられず、結果的に交通事故が起きる点である。それを解決するために、自転車のハンドル部分にＬＥＤ照明を取り付けた自転車用方向指示器についての記載がある。（例えば特許文献１参照。）
【先行技術文献】
【特許文献】
【０００４】
【特許文献１】特開２０１３−１１６７２１号公報
【考案の概要】
【考案が解決しようとする課題】
【０００５】
しかしながら上記特開２０１３−１１６７２１号公報に記載の自転車用方向指示器はハンドル部分に設けられているので、手の影や洋服の袖の陰に隠れたり、買い物かごで見えにくくなったりしてしまうという欠点があった。本考案はどの方向からでも視認可能で、しかも現在所持している自転車に後付け可能な、方向指示器としてのシグナルライトを提供することを目的とする。
【課題を解決するための手段】
【０００６】
本願の第１の考案は、自転車の右折左折の方向指示を行うための方向指示用シグナルライトであって、自転車のハンドルバーの少なくとも左右いずれかに方向指示スイッチを設け、それと連動する方向指示用シグナルライトが自転車のフロントハブ、リアハブの少なくともいずれかに設けられていることを特徴とする自転車用方向指示用シグナルライトである。
また、本願の第２の考案は、第１の考案において、前記方向指示スイッチが右折用方向指示押しボタンスイッチと左折用方向指示押しボタンスイッチであって、前記右折用方向指示押しボタンスイッチが右ハンドルに設けられ、前記左折用方向指示押しボタンスイッチが左ハンドルに設けられていることを特徴とする自転車用方向指示用シグナルライトである。
また、本願の第３の考案は、第１の考案において、前記方向指示スイッチが方向指示切り替えスイッチであって、前記右ハンドルまたは左ハンドルの少なくとも左右いずれかに、方向指示切り替えスイッチが設けられていることを特徴とする自転車用方向指示用シグナルライトである。
また、本願の第４の考案は、第１〜第３の考案のいずれか一つに記載の方向指示用シグナルライトを前後輪のハブの少なくともいずれか一方に設けたことを特徴とする自転車である。
【考案の効果】
【０００７】
本考案の自転車用方向指示用シグナルライトは、現在所持している大人用子供用自転車にも簡単に取り付けることができる。本考案の方向指示用シグナルライトは、自動車や歩行者にとって、どの方向からでもよく見え視認性が極めてよい。従って交通事故の減少や予防が可能となる。
【図面の簡単な説明】
【０００８】
【図１】図１は本考案の自転車用方向指示用シグナルライトを取り付けた自転車の全体図である。
【図２】図２は方向指示押しボタンスイッチの取り付け状態を示す説明図である。（ａ）はハンドルバーの左右に方向指示押しボタンスイッチを取り付けた状態を示す。（ｂ）はハンドルバーの左側に方向指示切り替えスイッチを取り付けた状態を示す。
【図３】図３は前輪用の方向指示用シグナルライトの取り付け状態を示す説明図である。
【図４】図４は後輪用の方向指示用シグナルライトの取り付け状態を示す説明図である。
【図５】図５は前輪後輪の方向指示用シグナルライトの取り付け状態を示す正面から見た拡大図である。（ａ）は前輪への取り付け状態を示す説明図である。（ｂ）は後輪への取り付け状態を示す説明図である。
【図６】図６は自転車用方向指示用シグナルライトの取り付け状態を示す拡大図である。（ａ）は自転車用方向指示用シグナルライトの全体を示す拡大正面図である。（ｂ）は自転車用方向指示用シグナルライトの全体を示す図６の（ａ）のＡ−Ａ線拡大側断面図である。（ｃ）は自転車用方向指示用シグナルライトの取り付け手順を示す説明図である。
【図７】図７はＬＥＤ照明の取り付け状態を示す詳細説明図である。（ａ）はＬＥＤ照明の取り付け詳細説明図である。（ｂ）は支持リングを示す斜視図である。
【図８】図８は電池ボックスの設置状態を示す説明図である。
【考案を実施するための形態】
【０００９】
本願考案は、今現在所持している自転車１１にも簡単に取付け及び取外しができる方向指示用シグナルライトＬである。前輪１２には前輪用の方向指示用シグナルライト３、後輪１３には後輪用の方向指示用シグナルライト４をそれぞれ取り付ける。ハンドルバー１０の上に取り付けた右折用方向指示押しボタンスイッチ１、左折用方向指示押しボタンスイッチ２を作動させると、前輪１２、後輪１３の中心にあるフロントハブ８、リアハブ９にそれぞれ取り付けた前輪用の方向指示用シグナルライト３、後輪用の方向指示用シグナルライト４が点滅または点灯する。その結果、走行中の自転車１１が右折左折などの進行方向を他者に事前に知らせることが可能となり、交通事故の減少や予防が可能となる。
【００１０】
自転車１１のハンドルバー１０の右ハンドル１０ａに取り付けた右折用方向指示押しボタンスイッチ１を作動させると、前輪１２、後輪１３の右側の中央に設けられているフロントハブ８、リアハブ９の前輪用の方向指示用シグナルライト３、後輪用の方向指示用シグナルライト４が点滅し、右折の方向指示が出来る。左ハンドル１０ｂに取り付けた左折用方向指示押しボタンスイッチ２を作動させると、前輪１２、後輪１３の左側の中央に設けられているフロントハブ８、リアハブ９の前輪用の方向指示用シグナルライト３、後輪用の方向指示用シグナルライト４が点滅し、左折の方向指示が出来る。左右どちらかのハンドルバー１０に右折用方向指示押しボタンスイッチ１、左折用方向指示押しボタンスイッチ２をまとめて付けてもよい。この場合は方向指示用のスイッチとして方向指示切り替えスイッチＲを使用するのが好適である。しかしながら、右折用方向指示押しボタンスイッチ１は右ハンドル１０ａ、左折用方向指示押しボタンスイッチ２は左ハンドル１０ｂに取り付けたほうがより好適である。ハンドルバー１０の中央の下のフレーム１５の中央に電池ボックス５を設置する。また、前輪用の方向指示用シグナルライト３、後輪用の方向指示用シグナルライト４は、少なくとも前輪１２、後輪１３の中央に設けられているフロントハブ８、リアハブ９のいずれかに取り付けておくとよい。しかしながら、前輪には前輪用の方向指示用シグナルライト３、後輪には後輪用の方向指示用シグナルライト４をそれぞれ取り付けたほうがより好適である。
【実施例１】
【００１１】
現在所持している自転車に、他者に事前に進行方向を伝えることが可能となる本考案の自転車用方向指示用シグナルライトを取り付けた。ハンドルバーの左右にそれぞれ方向指示用ボタンを取り付けた。また、前輪には前輪用の方向指示用シグナルライト、後輪には後輪用の方向指示用シグナルライトを取り付けた。右側の方向指示ボタンを押すと、ボタンに連動して、前輪と後輪の右側に取り付けた方向指示用シグナルライトが作動する。左側の方向指示ボタンを押すと、ボタンに連動して前輪と後輪の左側に取り付けた方向指示用シグナルライトが作動する。方向指示用シグナルライトは発光力と耐久性のあるＬＥＤ照明を採用した。方向指示用シグナルライトを点滅または点灯させることで、他者に事前に進行方向を伝えることができるようになった。なお、実施時には、より好適だと思われる点滅させるタイプで実施した。この自転車用方向指示用シグナルライトの取り付けによって、自転車走行中に方向を変えたい際に他者へ進行方向を伝えることが可能となり、交通事故の減少や予防が可能となる。
【００１２】
図２に従って説明する。ハンドルバーの左右の上に押しボタン式スイッチを取り付ける。ハンドルバー中央の真下の中央フレームに電池ボックスを設置する。電池カバーは防水用を使用。電池は簡易に交換可能なものとする。前輪と後輪の中央にあるフロントハブ、リアハブの上に他者の目に良く見えるように、お椀の底のように突起した形状のものを挟むようにシグナルライトを設置する。ライトは従来の電球またはLEDを採用し、カバー素材はステンレス、アルミ、プラスチック等の防水性・耐久性のあるものを使用する。本考案の自転車用方向指示用シグナルライトは、新しい自転車を購入する必要がなく、現在所持している自転車に簡単に取り付け可能なことを特徴とする。
【００１３】
図２（ａ）はハンドルバー１０の左右に右折用方向指示押しボタンスイッチ１、左折用方向指示押しボタンスイッチ２を取り付けた状態を示す説明図である。（ｂ）はハンドルバー１０の左側のみに方向指示切り替えスイッチＲを取り付けた状態を示す説明図である。図示していないが、方向指示スイッチＢとは右折用方向指示押しボタンスイッチ１と左折用方向指示押しボタンスイッチ２と方向指示切り替えスイッチＲのことを言う。
【００１４】
図５（ａ）は前輪１２の左右のフロントハブ８に前輪用方向指示用シグナルライト３を取り付けた状態を示す説明図である。（ｂ）は後輪１３の左右のリアハブ９に後輪用方向指示用シグナルライト４を取り付けた説明図である。ハンドルバー１０の右側に設置した方向指示押しボタンスイッチ１を押すと右側の前輪１２と後輪１３に取り付けた方向指示用シグナルライト３、４が光り点滅する。ハンドルバー１０の左側に設置した方向指示押しボタンスイッチ２を押すと左側の前輪１２と後輪１３に取り付けた方向指示用シグナルライト３、４が光り点滅する。
【００１５】
図６（ａ）は方向指示用シグナルライトＬを取り付けた全体図である。シグナルライトはＬＥＤライトカバー付を使用する。（ｂ）は横から見た断面図である。（ｃ）は取り付け説明図である。取り付けは面ファスナーＭを使用する。また、面ファスナーＭの代わりに両面テープＦを使用してもよい。ハブの回りはドーナツ型の小サイズの支持リングＥをスペーサーとして用いる。高さはハブより高い（厚い）ものを使用する。
【００１６】
図７はＬＥＤ照明Ｓの取り付け状態を示す拡大図である。自転車１１のハブ８、９の表面部にあるフランジＤに面ファスナーＭまたは両面テープＦで支持リングＥを取り付ける。その上にライトカバーの底板Ｊを面ファスナーＭまたは両面テープＦで取り付ける。さらにライトカバーの底板Ｊの上に照明支持体ＳＴを面ファスナーＭまたは両面テープＦで取り付ける。照明支持体ＳＴはウレタンゴムのような軟質ゴムを使うと好適である。自転車走行中に振動が生じても支障がない。さらに照明支持体ＳＴの上にＬＥＤ照明Ｓを面ファスナーＭまたは両面テープＦで止める。ＬＥＤライトカバーＣを被せ配線６を配線取り出し孔Ｋから出す。
【００１７】
ＬＥＤ照明カバーを取り付ける事で、ハブを支えているボルトとナットが見えなくなるため外観上も優れている。外部からのほこりや雨水の浸入を防止できる。
【００１８】
図８は電池ボックス５の設置状態を示す拡大図である。電池ボックス５から右折用方向指示押しボタンスイッチ１、左折用方向指示押しボタンスイッチ２に配線していく。また、前輪用の方向指示用シグナルライト３、後輪用の方向指示用シグナルライト４に配線していく。
【００１９】
本考案のシグナルライトＬ、方向指示スイッチＢ、電池ボックス５等を自転車製造時に初めから搭載しておくことも可能である。また、これらは現在所持している自転車に後付けも可能である。
【００２０】
自転車の方向指示を明確にするためのシグナルライト３、４であって、交通事故の減少や予防に有用である。
【産業上の利用可能性】
【００２１】
本考案の自転車用方向指示用シグナルライトは、自転車走行時に他者に進行方向を事前に伝えることを目的とし、その結果、交通事故の減少や予防に大変に役立つと考える。従って、産業上の利用可能性は非常に大きい。
【符号の説明】
【００２２】
１        右折用方向指示押しボタンスイッチ
２        左折用方向指示押しボタンスイッチ
３        前輪用の方向指示用シグナルライト
４        後輪用の方向指示用シグナルライト
５        電池ボックス
６        配線
７        配線止めパーツ
８        フロントハブ
９        リアハブ
１０      ハンドルバー
１０ａ    右ハンドル
１０ｂ    左ハンドル
１１      自転車
１２      前輪
１３      後輪
１４      スポーク
１５      フレーム
１６      ペダル
１７      サドル
１８      ブレーキバー
１９      ベル
２０      ランプ
２１      泥除け
Ｂ        方向指示スイッチ
Ｒ        方向指示切り替えスイッチ
Ｌ        方向指示用シグナルライト
Ｓ        ＬＥＤ照明
ＳＴ      照明支持体
Ｅ        支持リング
Ｃ        ＬＥＤライトカバー
Ｊ        ライトカバーの底板
Ｄ        フランジ
Ｍ        面ファスナー
Ｆ        両面テープ
Ｋ        配線取り出し孔
【図１】
0003190583.tif 000003
【図２】
0003190583.tif 000004
【図３】
0003190583.tif 000005
【図４】
0003190583.tif 000006
【図５】
0003190583.tif 000007
【図６】
0003190583.tif 000008
【図７】
0003190583.tif 000009
【図８】
0003190583.tif 000010